(57)【要約】【課題】ペン型書き込み器を利用した２色の書き込みが可能な情報表示パネルであって、２色の表示画像における優れたコントラストを達成できる書き込み可能な情報表示パネルを提供する。【解決手段】帯電粒子を含んで構成される３色、４種類の表示媒体を各２種類ずつ互いに色が異なるように組み合わせて、基板間であって隔壁で形成されたセル空間に封止し、表示媒体に電界を付与することで表示情報を書き換えできる書き込み可能な情報表示パネルであって、３色、４種類の表示媒体の組み合わせとして、背景色表示媒体（プラス帯電）／第１表示色表示媒体（マイナス帯電）を１つのセルに配置し、背景色表示媒体（マイナス帯電）／第２色表示媒体（プラス帯電）を隣接するセルに配置し、パネルの観察側基板上でプラス帯電のペン型書き込み器を移動させることで第１表示色の情報表示を行い、パネルの観察側基板上でマイナス帯電のペン型書き込み器を移動させることで第２表示色の情報表示を行うよう構成した。【選択図】図３
2009122375.tif 000002
【特許請求の範囲】
【請求項１】
帯電粒子を含んで構成される３色、４種類の表示媒体を各２種類ずつ互いに色が異なるように組み合わせて、基板間であって隔壁で形成されたセル空間に封止し、表示媒体に電界を付与することで表示情報が書き換えできる書き込み可能な情報表示パネルであって、３色、４種類の表示媒体の組み合わせとして、背景色表示媒体（プラス帯電）／第１表示色表示媒体（マイナス帯電）を１つのセルに配置し、背景色表示媒体（マイナス帯電）／第２色表示媒体（プラス帯電）を隣接するセルに配置し、パネルの観察側基板上でプラス帯電のペン型書き込み器を移動させることで第１表示色の情報表示を行い、パネルの観察側基板上でマイナス帯電のペン型書き込み器を移動させることで第２表示色の情報表示を行うよう構成したことを特徴とする書き込み可能な情報表示パネル。
【請求項２】
ペン型書き込み器を接触させる観察側基板には表示情報書き換え時および表示情報消去時に電圧を印加するための透明導電部材をベタ電極として配置し、背面側基板には表示情報書き換え時および表示情報消去時に電圧を印加するための導電部材を各セルに対応する電極として配置したことを特徴とする請求項１に記載の書き込み可能な情報表示パネル。
【請求項３】
ペン型書き込み器を接触させる観察側基板には表示情報書き換え時および表示情報消去時に電圧を印加するための透明導電部材を各セルに対応する電極として配置し、背面側基板には表示情報書き換え時および表示情報消去時に電圧を印加するための導電部材を各セルに対応する電極として配置したことを特徴とする請求項１に記載の書き込み可能な情報表示用パネル。
【請求項４】
表示情報書き換え時および表示情報消去時に導電部材に所定の電圧を印加するための電圧印加手段および電源が搭載され、所定の電圧を導電部材に付与して画像等の情報を表示したり、表示した情報の消去を行うことを特徴とする請求項２または３に記載の書き込み可能な情報表示パネル。
【請求項５】
ペン型書き込み器にはペン先電極が設けられており、ペン先電極電圧切り替え装置およびペン先電極に電圧を印加するための電源（電池）が内蔵され、切り替えスイッチの操作によりペン先電極に印加する電圧極性を、プラス電圧印加状態、マイナス電圧印加状態、電圧印加ＯＦＦ状態とを切り替え変更できるよう構成したことを特徴とする請求項１〜４のいずれか１項に記載の書き込み可能な情報表示パネル。
【請求項６】
ペン型書き込み器のペン先電極は、情報表示パネルの１表示単位面積と同じ面積を有するとともに、そのペン先エッジに丸みを持たせることを特徴とする請求項５に記載の書き込み可能な情報表示パネル。
【請求項７】
請求項３に記載の書き込み可能な情報表示パネルにおいて、
２種類の背景色表示媒体／表示色表示媒体の組み合わせのうち一種類の組合せが収納されているセルに対応した対向電極対に電圧を印加して発生させた電界により表示媒体を移動させて、一方の表示色による表示を行った後、印加した電源をＯＦＦとし、
次に、ペン型書き込み器のペン先電極と前記２種類の背景色表示媒体／表示色表示媒体の組み合わせのうち前の表示に使わなかったもう一種類の組合せが収納されているセルに対応した背面側電極とそれぞれ異なる電位の電圧を印加した状態で、パネルの観測基板上を移動させることでもう一色の表示を書き込んで行うことを特徴とする書き込み可能な情報表示パネルの使用方法。
【発明の詳細な説明】
【技術分野】
【０００１】
本発明は、帯電粒子を含んで構成される３色、４種類の表示媒体を各２種類ずつ互いに色が異なるように組み合わせて、基板間であって隔壁で形成されたセル空間に封止し、表示媒体に電界を付与することで表示情報を書き換えできる書き込み可能な情報表示パネルおよびその使用方法に関するものである。
【背景技術】
【０００２】
従来、ペン型聞き込み器を用い、パネル上においてペン型書き込み器を移動させることで、パネル上にペン型書き込み器の移動した軌跡を表示させて情報を表示する情報表示パネルが知られている。また、２色の表示が可能な情報表示パネルとして、一つのセルに３色の表示媒体を配置し、そのうち２色の表示媒体に帯電極性を同じにして、基板への付着性の違いからその駆動性に差を持たせ、もう１色の帯電極性の異なる表示媒体とを駆動を制御する技術が知られている（例えば、特許文献１参照）。
【０００３】
【特許文献１】特開２００７−１４０１１０号公報
【発明の開示】
【発明が解決しようとする課題】
【０００４】
上述した従来の情報表示パネルにおいて、白黒２色の表示媒体を使用した例では、白地に黒色表示（あるいはその逆の表示）とする書き込み情報表示しかできない問題があった。また、３色の表示媒体を使用した例では、２色の表示媒体（帯電粒子）の帯電極性を同じにして、基板への付着状態の違いからその駆動性に差を持たせて２色の表示媒体の駆動を制御しようとしていたため、表示画像のコントラストに不具合が発生する問題があった。
【０００５】
本発明の目的は上述した問題点を解消して、ペン型書き込み器を利用した２色の表示が可能な情報表示パネルであって、第１色目の表示を行った後に、第２色目の表示をペン型書き込み器を用いて書き込み表示することが可能な、２色の表示画像における優れたコントラストを達成できる書き込み可能な情報表示パネルおよびその使用方法を提供しようとするものである。
【課題を解決するための手段】
【０００６】
本発明の書き込み可能な情報表示パネルは、帯電粒子を含んで構成される３色、４種類の表示媒体を各２種類ずつ互いに色が異なるように組み合わせて、基板間であって隔壁で形成されたセル空間に封止し、表示媒体に電界を付与することで表示情報が書き換えできる書き込み可能な情報表示パネルであって、３色、４種類の表示媒体の組み合わせとして、背景色表示媒体（プラス帯電）／第１表示色表示媒体（マイナス帯電）を１つのセルに配置し、背景色表示媒体（マイナス帯電）／第２色表示媒体（プラス帯電）を隣接するセルに配置し、パネルの観察側基板上でプラス帯電のペン型書き込み器を移動させることで第１表示色の情報表示を行い、パネルの観察側基板上でマイナス帯電のペン型書き込み器を移動させることで第２表示色の情報表示を行うよう構成したことを特徴とするものである。
【０００７】
本発明の書き込み可能な情報表示パネルの好適例の一例としては、ペン型書き込み器を接触させる観察側基板には表示情報書き換え時および表示情報消去時に電圧を印加するための透明導電部材をベタ電極として配置し、背面側基板には表示情報書き換え時および表示情報消去時に電圧を印加するための導電部材を各セルに対応する電極として配置したこと、ペン型書き込み器を接触させる観察側基板には表示情報書き換え時および表示情報消去時に電圧を印加するための透明導電部材を各セルに対応する電極として配置し、背面側基板には表示情報書き換え時および表示情報消去時に電圧を印加するための導電部材を各セルに対応する電極として配置したこと、表示情報書き換え時および表示情報消去時に導電部材に所定の電圧を印加するための電圧印加手段および電源が搭載され、所定の電圧を導電部材に付与して画像等の情報を表示したり、表示した情報の消去を行うこと、がある。
【０００８】
また、本発明の書き込み可能な情報表示パネルの好適例の他の例としては、ペン型書き込み器にはペン先電極が設けられており、ペン先電極電圧切り替え装置およびペン先電極に電圧を印加するための電源（電池）が内蔵され、切り替えスイッチの操作によりペン先電極に印加する電圧極性を、プラス電圧印加状態、マイナス電圧印加状態、電圧印加ＯＦＦ状態とを切り替え変更できるよう構成したこと、ペン型書き込み器のペン先電極は、情報表示パネルの１表示単位面積と同じ面積を有するとともに、そのペン先エッジに丸みを持たせること、がある。
【０００９】
さらに、本発明の情報表示パネルの使用方法は、上述した構成の書き込み可能な情報表示パネルにおいて、２種類の背景色表示媒体／表示色表示媒体の組み合わせのうち一種類の組合せが収納されているセルに対応した対向電極対に電圧を印加して発生させた電界により表示媒体を移動させて、一方の表示色による表示を行った後、印加した電源をＯＦＦとし、次に、ペン型書き込み器のペン先電極と前記２種類の背景色表示媒体／表示色表示媒体の組み合わせのうち前の表示に使わなかったもう一種類の組合せが収納されているセルに対応した背面側電極とそれぞれ異なる電位の電圧を印加した状態で、パネルの観測基板上を移動させることでもう一色の表示を書き込んで行うことを特徴とする物である。
【発明の効果】
【００１０】
本発明によれば、帯電粒子を含んで構成される３色、４種類の表示媒体を各２種類ずつ互いに色が異なるように組み合わせて、基板間であって隔壁で形成されたセル空間に封止し、表示媒体に電界を付与することで表示情報が書き換えできる書き込み可能な情報表示パネルであって、３色、４種類の表示媒体の組み合わせとして、背景色表示媒体（プラス帯電）／第１表示色表示媒体（マイナス帯電）を１つのセルに配置し、背景色表示媒体（マイナス帯電）／第２色表示媒体（プラス帯電）を隣接するセルに配置し、パネルの観察側基板上でプラス帯電のペン型書き込み器を移動させることで第１表示色の情報表示を行い、パネルの観察側基板上でマイナス帯電のペン型書き込み器を移動させることで第２表示色の情報表示を行うよう構成したことで、ペン型書き込み器を利用した２色の表示が可能な情報表示パネルであって、第１色目の表示を行った後に、第２色目の表示をペン型書き込み器を用いて書き込み表示することが可能な、２色の表示画像における優れたコントラストを達成できる書き込み可能な情報表示パネルおよびその使用方法を得ることができる。
【発明を実施するための最良の形態】
【００１１】
まず、本発明の情報表示パネルの基本的な構成について説明する。本発明の情報表示パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１２】
本発明の情報表示パネルの例を、図１（ａ）、（ｂ）〜図２（ａ）、（ｂ）に基づき説明する。
【００１３】
図１（ａ）、（ｂ）に示す例では、光学的反射率と帯電性とを有する粒子を含む少なくとも１種以上の粒子からなる粒子群として構成される、互いに光学的反射率および帯電特性が異なる表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１４】
図２（ａ）、（ｂ）に示す例では、光学的反射率と帯電性を有する粒子を含む少なくとも１種以上の粒子からなる粒子群として構成される、互いに光学的反射率および帯電特性の異なる表示媒体３を２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１５】
本発明の書き込み可能な情報表示パネルの特徴は、帯電性粒子を含んで構成される３色、４種類の表示媒体を各２種類ずつ互いに色が異なるように組み合わせて基板間に隔壁で形成されたセル空間（マイクロカプセル空間を含む）に封止し、表示媒体に電界を付与することで表示媒体を移動させて表示情報を書き換えできるドットマトリックス表示方式の情報表示パネルとして構成する点にある。
【００１６】
３色、４種類の表示媒体を互いに色が異なるよう２種類を組み合わせるように、背景色表示媒体（プラス帯電）/第１表示色表示媒体（マイナス帯電）を１つのセルまたはマイクロカプセルに配置し、背景色表示媒体（マイナス帯電）/第２表示色表示媒体（プラス帯電）を隣接するセルまたはマイクロカプセルに配置する。背景色表示媒体としては白色や黄色などの明淡色のものが好ましく、表示色表示媒体としては黒色や赤色、青色、緑色、茶色、紫色などの明濃色、暗濃色のものが好ましい。
【００１７】
情報表示パネルの観察側基板（ペン型書き込み器を接触させる基板）には表示情報書き換え時および表示情報消去時に電圧を印加するための透明導電部材を配置し、背面側基板には表示情報書き換え時および表示情報消去時に電圧を印加するための導電部材を各セルに対応する電極として配置する。透明導電部材はべた電極膜としたり、各セルに対応する電極（ライン電極や個別電極）としたりできる。背面側基板にはライン電極や個別電極として各セルに対応するような電極として導電部材を設ける。
【００１８】
情報表示パネルには表示情報の書き換え時および消去時にパネル基板電極（導電部材）に所定の電圧を印加するための電圧印加手段および電源（電池）が搭載され、所定の電圧を付与して表示情報の書き換えおよび表示情報の消去を行う。
【００１９】
情報の書き込み表示は専用のペン型書き込み器によって行う。書き込み器のペン先は電極として構成され、ペン先に印加する電圧の極性を変えられるようにする。また、ペン先電極は情報標示パネルの１表示単位面積に略等しくする。さらにペン先エッジは丸みを持たせておくとパネル基板上を接触させながらペンを移動する際に滑らかに移動できるので好ましい。ペン型書き込み器にはペン先電極電圧切り替え装置およびペン先電極に電圧を印加するための電源（電池）が内蔵され、切り替えスイッチの操作によりペン先電極に印加する電圧極性を、プラス電圧印加状態、マイナス電圧印加状態、電圧印加ＯＦＦ状態とを切り替え変更できる。
【００２０】
次に、本発明の書き込み可能な情報表示パネルの各構成部材について説明する。
【００２１】
情報表示パネルの観察側基板（ペン型書き込み器を接触させる基板）には透明導電部材を配置し、背面側基板には導電部材を各セルに対応する電極として配置する。透明導電部材はべた電極膜としたり、各セルに対応する電極（ライン電極や個別電極）としたりできる。背面側基板にはライン電極や個別電極として各セルに対応するような電極として導電部材を設ける。情報表示パネルにはパネル基板電極（導電部材）に所定の電圧を印加するための電圧印加手段および電源（電池）が搭載され、所定の電圧を付与して情報画像の表示および消去を行う。
【００２２】
情報表示パネルの表示部は、表示媒体を一方が透明な２枚の基板間空間に封止した構成のドットマトリックス表示方式で構成する。基板間空間には隔壁を設けて空間を複数の小部屋（セル）に仕切り、表示媒体をセル内に配置するのが好ましい。これにより封入した帯電粒子（表示媒体）が偏ることを防止できる。帯電粒子（表示媒体）をマイクロカプセルに封止した場合には、このマイクロカプセルがセル（小部屋）の機能を有するので、さらにセル（小部屋）を設けなくても良い。
【００２３】
表示媒体としては、帯電粒子を気体中空間で駆動する帯電粒子気体中移動方式（例えば電子粉流体方式）や、帯電粒子を絶縁液体中で駆動する帯電粒子電気泳動方式等の表示メモリー（ｂｉｓｔａｂｌｅ）性を有する方式のものに適用できる。
【００２４】
観察側基板にべた電極（べた導電膜）を設けた場合の画像消去では、背面側基板のセル対応電極と背景色表示媒体の帯電極性との関係から、印加電圧の極性および大きさを制御して画像消去を行う。観察側基板にセル対応電極（ライン電極または個別電極）を設けた場合の画像消去では、セル対応電極ごとに印加する電圧の極性および大きさを制御してすべてのセルにおいて背景色表示媒体が観察側基板に移動するようにして画像消去を行う。観察側基板に設ける導電部材（電極）は透明なものを用いるが、背面側基板に設けるセル対応電極は透明でなくてもよい。背面側基板のセル対応電極と、ペン型書き込み器のペン先電極とに印加する電圧の極性および大きさを制御して表示された情報画像を部分的に消去することもできる。
【００２５】
透明導電部材とする透明導電材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等が挙げられる。透明であることを要しない導電材料としては、銅、アルミニウム、銀、ニッケル、金、クロム、およびこれらを主成分とする合金（例えば、Ｎｄ-Ｃｒ）等の金属が挙げられ、前記透明導電材料として挙げたものも含めて背面側基板に配置することができる。
【００２６】
電極の形成方法としては、上記例示の材料をスパッタリング法、真空蒸着法、ＣＶＤ（化学蒸着）法、塗布法等で薄膜状に形成する方法や、金属箔（例えば圧延銅箔）をラミネートする方法、導電剤を溶媒や合成樹脂バインダーに混合して塗布したりする方法などが用いられる。パターン形成可能で導電性である上記材料を好適に用いることができる。
【００２７】
透明導電材料で形成する導電部材や電極の厚みは、導電性が確保でき光透過性に支障がなければ良く、０．０１〜１０μｍ、好ましくは０．０５〜５μｍである。また、金属材料で形成する電極の厚みも、導電性が確保できれば良く、０．０１〜１０μｍ、好ましくは０．０５〜５μｍである。
【００２８】
基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板やガラス繊維補強された樹脂基板（例えばガラス・エポキシ基板）を用いるが、観察側表示面となる基板には透明なものを用いる。
【００２９】
図３〜図８はそれぞれ本発明の書き込み可能な情報表示パネルにおける具体的なパネル構成例を説明するための図である。
【００３０】
図３および図４に示す例では、観察側の電極６として透明導電部材をベタ電極として設け、隣接する２個（図３）および４個（図４）のセル７をそれぞれ１表示単位（１ドット）とし、白地に黒色または赤色で情報表示できるようにした構成を示している。図３に示す例では、白色表示媒体（マイナス帯電）３Ｗ−／黒色表示媒体（プラス帯電）３Ｂ＋を封入したセル７と、赤色表示媒体（マイナス帯電）３Ｒ−／白色表示媒体（プラス帯電）３Ｗ＋を封入したセル７とを隣接配置した例であって、各セル７に対応して配置する電極５をライン電極とした例を示している。図４に示す例では、白色表示媒体（マイナス帯電）３Ｗ−／黒色表示媒体（プラス帯電）３Ｂ＋を封入したセル７と、赤色表示媒体（マイナス帯電）３Ｒ−／白色表示媒体（プラス帯電）３Ｗ＋を封入したセル７とを隣接配置した例であって、各セル７に対応して配置する電極５を個別電極とした例を示している。
【００３１】
図５および図６に示す例では、観察側の電極６として透明導電部材を各セル対応電極として設け、隣接する２個（図５）および４個（図６）のセル７をそれぞれ１表示単位（１ドット）とし、白地に黒色または赤色で情報表示できるようにした構成を示している。図５に示す例では、白色表示媒体（マイナス帯電）３Ｗ−／黒色表示媒体（プラス帯電）３Ｂ＋を封入したセル７と、赤色表示媒体（マイナス帯電）３Ｒ−／白色表示媒体（プラス帯電）３Ｗ＋を封入したセル７とを隣接配置した例であって、各セル７に対応して配置する電極５、６をライン電極とした例を示している。図６に示す例では、白色表示媒体（マイナス帯電）３Ｗ−／黒色表示媒体（プラス帯電）３Ｂ＋を封入したセル７と、赤色表示媒体（マイナス帯電）３Ｒ−／白色表示媒体（プラス帯電）３Ｗ＋を封入したセル７とを隣接配置した例であって、各セル７に対応して配置する電極５、６を個別電極とした例を示している。
【００３２】
図３〜図６に示す例において、背景色とする表示媒体（ここでは白色表示媒体）としてはプラス帯電のものとマイナス帯電のものとを隣接するセルに封入するが、その他の色の組合せは自由である。また、ここではセル内は気体空間とした例を示したが、セル内を絶縁液体空間とすることもできる。
【００３３】
図７に示す例では、観察側の電極６として透明導電部材をベタ電極として設け、隣接する４個のマイクロカプセル１１を１表示単位（１ドット）とし、白地に黒色または赤色で情報表示できるようにした構成を示している。図８に示す例では、電極５、６をマイクロカプセル１１に対応した個別電極として設け、隣接する４個のマイクロカプセルを１表示板に（１ドット）とし、白地に黒色または赤色で情報表示できるようにした構成を示している。図７に示す例では、白色表示媒体（マイナス帯電）３Ｗ−／黒色表示媒体（プラス帯電）３Ｂ＋を絶縁液体１２とともに封入したマイクロカプセル１１と、赤色表示媒体（マイナス帯電）３Ｒ−／白色表示媒体（プラス帯電）３Ｗ＋を絶縁液体１２とともに封入したマイクロカプセル１１とを隣接配置した例であって、各セル７に対応して配置する電極５をライン電極とした例を示している。図８に示す例では、白色表示媒体（マイナス帯電）３Ｗ−／黒色表示媒体（プラス帯電）３Ｂ＋を封入したセル７と、赤色表示媒体（マイナス帯電）３Ｒ−／白色表示媒体（プラス帯電）３Ｗ＋を封入したセル７とを隣接配置した例であって、各セル７に対応して配置する電極５を個別電極とした例を示している。
【００３４】
図９（ａ）〜（ｄ）および図１０（ａ）〜（ｄ）はそれぞれ本発明の情報表示パネルにおける表示動作の一例を説明するための図である。
【００３５】
図９（ａ）〜（ｄ）はそれぞれ透明導電部材をベタ電極とした場合（図３、図４のパネル構成に対応）における表示動作の一例を説明するための図である。図９（ａ）は初期（画面消去）状態を示し、図９（ｂ）は書き込み開始状態：ペン型書き込み器にプラス電圧（＋Ｖ）を印加した状態を示し、図９（ｃ）は書き込み途中状態：ペン型書き込み器を基板に触れた状態で移動する状態を示し、図９（ｄ）は書き込み終了状態：ペン型書き込み器を基板から離す状態を示している。
【００３６】
図９（ａ）に示す初期（画面消去）状態では、観察側の基板２に設けた透明導電部材（膜）からなる電極６にプラス低電位（＋ＶＬ）を印加し、背面側の基板２に設けた各セル対応電極５に、図示のように、マイナス低電位（−ＶＬ）、プラス高電位（＋ＶＨ）をそれぞれ印加する。これにより白消去状態となる。次に、図９（ｂ）に示す書き込み開始状態では、背面側の基板１に設けた各セル対応電極５には、マイナス電位（−Ｖ）を印加しておく。その状態で、＋Ｖを印加されたペン型書き込み器２１が観察側の基板２に接触した部分に配置された表示媒体用粒子が電界方向に移動する。ここでは、マイナス帯電した白色表示媒体３Ｗ−とマイナス帯電した赤色表示媒体３Ｒ−とが、観察側の基板２に移動する。次に、図９（ｃ）に示す書き込み途中状態では、＋Ｖを印加されたペン型書き込み器２１が触れながら移動した接触部分に配置されていた表示媒体用粒子が電界方向に移動し、マイナス帯電の表示媒体３Ｗ−と３Ｒ−とが観察側の基板２に移動する。次に、図９（ｄ）に示す書き込み終了状態では、ペン型書き込み器２１が触れながら移動した接触部分に配置されていた表示媒体用粒子が電界方向に移動後、観察側の基板２に貼り付いた状態で観察される。ここでは、白地に赤色で情報表示がなされる。この状態で電極への電圧印加をＯＦＦとしても、表示された情報はそのまま表示される（メモリー性）。
【００３７】
図１０（ａ）〜（ｄ）はそれぞれ透明導電部材をセル対応電極（ライン電極または個別電極）とした場合（図５、図６のパネル構成に対応）における表示動作の一例を説明するための図である。図１０（ａ）は初期（画面消去）状態を示し、図１０（ｂ）は書き込み開始状態：ペン型書き込み器にプラス電圧（＋Ｖ）を印加した状態を示し、図１０（ｃ）は書き込み途中状態：ペン型書き込み器を基板に触れた状態で移動する状態を示し、図１０（ｄ）は書き込み終了状態：ペン型書き込み器を基板から離す状態を示している。
【００３８】
図１０（ａ）に示す初期（画面消去）状態では、観察側の基板２に設けた透明導電部材（ライン電極または個別電極）からなる電極６に所定電位（＋Ｖまたは−Ｖ）をそれぞれ印加し、背面側の基板２に設けた各セル対応電極５に所定電位（−Ｖまたは＋Ｖ）をそれぞれ印加する。これにより消去状態（白色ベタ画像表示状態）となる。次に、図１０（ｂ）に示す書き込み開始状態では、背面側の基板１に設けた各セル対応電極５には、マイナス電位（−Ｖ）を印加するとともに、観察側の基板２に設けた電極６はＯＦＦ状態としておく。その状態で、＋Ｖを印加されたペン型書き込み器２１が観察側の基板２に接触した部分に配置された表示媒体用粒子が電界方向に移動する。ここでは、マイナス帯電した白色表示媒体３Ｗ−とマイナス帯電した赤色表示媒体３Ｒ−とが、観察側の基板２に移動する。次に、図１０（ｃ）に示す書き込み途中状態では、＋Ｖを印加されたペン型書き込み器２１が触れながら移動した接触部分に配置されていた表示媒体用粒子が電界方向に移動し、マイナス停電の表示媒体３Ｗ−と３Ｒ−とが観察側の基板２に移動する。次に、図１０（ｄ）に示す書き込み終了状態では、ペン型書き込み器２１が触れながら移動した接触部分に配置されていた表示媒体用粒子が電界方向に移動後、観察側の基板２に貼り付いた状態で観察される。ここでは、白地に赤色で情報表示がなされる。この状態で電極への電圧印加をＯＦＦとしても、表示された情報はそのまま表示される（メモリー性）。なお、図１０（ｃ）、（ｄ）では電極６を削除している。
【００３９】
図１１（ａ）〜（ｄ）はそれぞれ本発明の情報表示パネルに対しペン型書き込み器で実際に情報を書き込む状態の一例を説明するための図である。図１１（ａ）に示す例では、ペン型書き込み器２１のペン先にプラス電位を印加して情報表示パネル２２に情報を書き込もうとしている様子を示す。図１１（ｂ）に示す例では、図１１（ａ）に示す状態でペン型書き込み器２１のペン先を情報表示パネル２２に触れながら移動させて、文字情報「Ａ」を書き込み黒色表示した様子を示す。図１１（ｃ）に示す例では、ペン型書き込み器２１のペン先にマイナス電位を印加して情報表示パネル２２にペン先を情報表示パネル２２に触れながら移動して、文字情報「Ａ」を書き込み赤色表示した様子を示す。図１１（ｄ）に示す例では、図１１（ｂ）に示す文字情報「Ａ」の書き込み終了後、ペン型書き込み器２１のペン先にマイナス電位を印加して情報表示パネル２２にペン先を情報表示パネル２２に触れながら移動して、文字情報「Ａ」とは別の文字情報を書き始めた様子を示す。
【００４０】
図１２（ａ）〜（ｄ）はそれぞれ本発明の情報表示パネルに対しペン型書き込み器で実際に情報を書き込む状態の他の例を説明するための図である。図１２（ａ）に示す例では、表示書き換えで黒色の文字情報が表示されている情報表示パネル２２に、ペン型書き込み器２１のペン先にマイナス電位を印加して手書きで赤色文字を書き込もうとしている様子を示す。図１２（ｂ）に示す例では、ペン型書き込み器２１のペン先を情報表示パネル２２に触れながら移動させて赤色の手書き文字情報「Ａ」の書き込み表示を開始した様子を示す。図１２（ｃ）に示す例では、ペン型書き込み器２１のペン先にマイナス電位を印加して情報表示パネル２２にペン先を触れながら移動させて、赤色の手書き文字情報「ＡＢＣＤＥＦＧ」を書き込み終え、さらに次の書き込みを行おうとしている様子を示す。図１２（ｄ）に示す例では、ペン型書き込み器２１のペン先にマイナス電位を印加して情報表示パネル２２にペン先を触れながら移動させて、赤色の手書き文字情報「ＡＢＣＤ」を書き終えた様子を示す。
【産業上の利用可能性】
【００４１】
本発明の書き込み可能な情報表示パネルは、一旦書込んだ情報を消去するまで継続表示していることができる電子値札、電子棚札、電子取扱説明書、電子ＰＯＰ（Point of presnece, Point of Purchase advertising）、電子広告、情報ボード等の電子情報表示装置や、電子メモ帳、電子ノートなどの電子ペーパーに好適に適用できる。
【図面の簡単な説明】
【００４２】
【図１】（ａ）、（ｂ）はそれぞれ本発明の書き込み可能な情報表示パネルの一例を説明するための図である。
【図２】（ａ）、（ｂ）はそれぞれ本発明の書き込み可能な情報表示パネルの他の例を説明するための図である。
【図３】本発明の書き込み可能な情報表示パネルにおける具体的なパネル構成の一例を説明するための図である。
【図４】本発明の書き込み可能な情報表示パネルにおける具体的なパネル構成の他の例を説明するための図である。
【図５】本発明の書き込み可能な情報表示パネルにおける具体的なパネル構成のさらに他の例を説明するための図である。
【図６】本発明の書き込み可能な情報表示パネルにおける具体的なパネル構成のさらに他の例を説明するための図である。
【図７】本発明の書き込み可能な情報表示パネルにおける具体的なパネル構成のさらに他の例を説明するための図である。
【図８】本発明の書き込み可能な情報表示パネルにおける具体的なパネル構成のさらに他の例を説明するための図である。
【図９】（ａ）〜（ｄ）はそれぞれ本発明の情報表示パネルにおける表示動作の一例を説明するための図である。
【図１０】（ａ）〜（ｄ）はそれぞれ本発明の情報表示パネルにおける表示動作の他の例を説明するための図である。
【図１１】（ａ）〜（ｄ）はそれぞれ本発明の情報表示パネルに対しペン型書き込み器で実際に情報を書き込む状態の一例を説明するための図である。
【図１２】（ａ）〜（ｄ）はそれぞれ本発明の情報表示パネルに対しペン型書き込み器で実際に情報を書き込む状態の他の例を説明するための図である。
【符号の説明】
【００４３】
１、２  基板
３  表示媒体（粒子群）
３Ｗ  白色表示媒体
３Ｗａ  白色表示媒体用粒子（白色負帯電性粒子）
３Ｂ  黒色表示媒体
３Ｂａ  黒色表示媒体用粒子（黒色正帯電性粒子）
３Ｗ−  白色表示媒体（マイナス帯電）
３Ｗ＋  黒色表示媒体（プラス帯電）
３Ｂ＋  黒色表示媒体（プラス帯電）
３Ｒ−  赤色表示媒体（マイナス帯電）
３Ｒ＋  赤色表示媒体（プラス帯電）
４  隔壁
５、６  電極
７  セル
１１  マイクロカプセル
１２  絶縁液体
２１  ペン型書き込み器
２２  情報表示パネル
【図１】
2009122375.tif 000003
【図２】
2009122375.tif 000004
【図３】
2009122375.tif 000005
【図４】
2009122375.tif 000006
【図５】
2009122375.tif 000007
【図６】
2009122375.tif 000008
【図７】
2009122375.tif 000009
【図８】
2009122375.tif 000010
【図９】
2009122375.tif 000011
【図１０】
2009122375.tif 000012
【図１１】
2009122375.tif 000013
【図１２】
2009122375.tif 000014